(57)【要約】 【課題】本発明は、生成されるプラズマの状態を調整可能なプラズマ生成ガスを提供し、プラズマを生成する際に大量の電力を印加しても安定なグロー放電を得ることを可能とするとともに、このプラズマ生成ガスを用いて、高密度で伸張距離の長いプラズマを提供することを目的とする。【解決手段】放電することによってプラズマを生成するためのプラズマ生成ガスであって、前記プラズマの主成分となる物質を含んでいるプラズマ用ガスと、前記プラズマの状態を調整するプラズマ状態調整用ガスとの混合ガスとする。【選択図】  図２
2013019791.tif 000002
【特許請求の範囲】
【請求項１】
放電することによってプラズマを生成するためのプラズマ生成ガスであって、
前記プラズマの主成分となる物質を含んでいるプラズマ用ガスと、
前記プラズマの状態を調整するプラズマ状態調整用ガスとの混合ガスからなることを特徴とするプラズマ生成ガス。
【請求項２】
前記プラズマ状態調整ガスがヘリウムガスとされることを特徴とする請求項１に記載のプラズマ生成ガス。
【請求項３】
前記プラズマ状態調整用ガスが窒素ガスとされることを特徴とする請求項１または請求項２に記載のプラズマ生成ガス。
【請求項４】
前記プラズマを表面処理用途として用いる際には、
前記プラズマ用ガスが、生成されるプラズマの主な成分となるベースガスと、
前記プラズマの処理効果を向上させるための処理効果向上ガスとの混合物からなることを特徴とする請求項１乃至請求項３のいずれか１項に記載のプラズマ生成ガス。
【請求項５】
前記請求項１乃至請求項４に記載のプラズマ生成ガスをプラズマ源に導入し、電界を印加することにより放電を発生させて生成されることを特徴とするプラズマ。
【発明の詳細な説明】
【技術分野】
【０００１】
本発明は、生成されるプラズマの状態を調整可能としたプラズマ生成ガスおよびこれを用いて生成されたプラズマに関する。
【背景技術】
【０００２】
近年、プラズマは、光源、分析、ガス製造、スパッタリング加工、被膜形成、表面処理などの様々な用途に用いられている。
【０００３】
これらの用途に用いられる際には、強い発光や分析感度の増大や、処理能力向上のために密度の高いプラズマが求められ、様々な方法でプラズマの高密度化が図られている。
【０００４】
高密度のプラズマを得るための１つの方法として、プラズマを生成する際に大量の電力を投入することが挙げられる。ところが、この方法は、アーク放電になりやすく、安定なグロー放電を得られないという問題を有していた。
【０００５】
例えば、プラズマを光源用途として用いる場合（特許文献１参照）、安定なグロー放電が得られないと、放電中に元素を投入して発光させた際に、発光成分に熱的な要素としての黒体放射成分が増加し、発光色が白色となって元素特有の発光色を得ることができなくなってしまう。
【０００６】
また、プラズマを分析用途として用いる場合においては（特許文献２参照）、被測定物をグロー放電中に投入し、その際に発せられる発光色を観察することにより分析を行うので、高密度のグロー放電プラズマが得られることが分析感度を向上するための重要な要素となる。
【０００７】
同様に、プラズマを表面処理用途として用いる場合（特許文献３参照）、特に、リモートプラズマによる処理は、プラズマ源から離れた位置に被処理物を配置し、ガス流などの流れによって搬送されてくるプラズマを接触させることによってプラズマ処理を施すものであり、プラズマ源に密度の薄いプラズマを用いると、プラズマの伸張距離が短くなり、被処理物までプラズマが到達せずに所望の処理を高速に行うことができなかった。
【先行技術文献】
【特許文献】
【０００８】
【特許文献１】特開２００３−１９４７２３号公報
【特許文献２】特開２０１１−０３８９６１号公報
【特許文献３】特開平０８−３２３８７３号公報
【発明の概要】
【発明が解決しようとする課題】
【０００９】
そこで、生成されるプラズマの状態を容易に調整することができる技術が求められている。
【００１０】
上記課題を解決するべく、本発明においては、生成されるプラズマの状態を調整可能なプラズマ生成ガスを提供し、プラズマを生成する際に大量の電力を印加しても安定なグロー放電を容易に得られるようにし、また、このプラズマ生成ガスを用いることにより、高密度で伸張距離の長いプラズマを提供することを目的とする。
【課題を解決するための手段】
【００１１】
本発明の第１のプラズマ生成ガスは、放電することによってプラズマを生成するためのプラズマ生成ガスであって、前記プラズマの主成分となる物質を含んでいるプラズマ用ガスと、前記プラズマの状態を調整するプラズマ状態調整用ガスとの混合ガスからなることを特徴とする。
【００１２】
このような、第１のプラズマ生成ガスとすることにより、生成されるプラズマを所望の状態とすることができ、例えば安定なグロー放電プラズマの生成や、伸張距離の長いプラズマを生成することを可能とする。
【００１３】
本発明の第２のプラズマ生成ガスは、前記プラズマ状態調整用ガスがヘリウムガスとされることを特徴とする。
【００１４】
このような、本発明の第２のプラズマ生成ガスとすることにより、大量の電力を印加してプラズマを生成する際においても、アーク放電になることを抑制して、安定なグロー放電を得ることができ、高密度のプラズマを生成することを可能とする。
【００１５】
本発明の第３のプラズマ生成ガスは、前記プラズマ状態調整用ガスが窒素ガスとされることを特徴とする。
【００１６】
このような、第３のプラズマ生成ガスとすることにより、生成されたプラズマの寿命が延びて、伸張距離を伸ばすことができる。
【００１７】
本発明の第４のプラズマ生成ガスは、前記プラズマを表面処理用途として用いる際に、前記プラズマ用ガスが、生成されるプラズマの主な成分となるベースガスと、前記プラズマの処理効果を向上させるための処理効果向上ガスとの混合物からなることを特徴とする。
【００１８】
このような、第４のプラズマ生成ガスとすることにより、生成されたプラズマを表面処理用途として用いる際に、高い処理効果を得ることができ、所望の処理を高速に施すことを可能とする。
【００１９】
本発明のプラズマは、本発明の第１乃至第４のプラズマ生成ガスをプラズマ源に導入し、電界を印加することにより放電を発生させて生成することを特徴とする。
【００２０】
このような、本発明のプラズマとすることにより、例えば、光源用途および分析用途に用いる際には、投入する電力量を増加した場合においても、安定なグロー放電を容易かつ確実に維持することができるので、投入される元素に応じた発光色が高い輝度で得られる。また、表面処理用途として用いる際には、被処理物まで高密度のプラズマが確実に到達するので所望の処理を高速に施すことを可能とする。
【発明の効果】
【００２１】
本発明のプラズマ生成ガスとすることにより、生成されるプラズマの状態を所望の状態に調整することができる。
【００２２】
詳しくは、プラズマ状態調整用ガスをヘリウムガスとすることにより、大量の電力を印加してプラズマを生成する際にも、安定なグロー放電の維持を可能とし、高密度のプラズマを生成することを可能とする。
【００２３】
また、プラズマ状態調整用ガスを窒素ガスとすることにより、プラズマの伸張距離を伸ばすことを可能とする。
【図面の簡単な説明】
【００２４】
【図１】本発明のプラズマを生成するプラズマ生成装置の実施形態の概略断面図である。
【図２】プラズマ用ガスとしてアルゴンガスおよび酸素ガスを用い、プラズマ状態調整用ガスとしてヘリウムガスを用いた際のヘリウムガスの混合率とアーク放電開始電力との関係を示すグラフである。
【図３】プラズマ用ガスとしてアルゴンガスおよび水素ガスを用い、プラズマ状態調整用ガスとしてヘリウムガスを用いた際のヘリウムガスの混合率とアーク放電開始電力との関係を示すグラフである。
【図４】プラズマ用ガスとしてのアルゴンガス１００％の場合のプラズマ生成ガスを用いて生成されたプラズマの明部の観察図および観察図の要部を示す模式図であり、（ａ）は、プラズマの明部の観察図であり、（ｂ）は、（ａ）に示す観察図の模式図であり、（ｃ）は、（ａ）に示す明部を拡大した観察図であり、（ｄ）は、（ｃ）に示す観察図の模式図である。
【図５】プラズマ用ガスをアルゴンガスとし、プラズマ状態調整用ガスを窒素ガス（０．１％）とした場合のプラズマ生成ガスを用いて生成されたプラズマの明部の観察図および観察図の要部を示す模式図であり、（ａ）は、プラズマの明部の観察図であり、（ｂ）は、（ａ）に示す観察図の模式図であり、（ｃ）は、（ａ）に示す明部を拡大した観察図であり、（ｄ）は、（ｃ）に示す観察図の模式図である。
【図６】プラズマ用ガスをアルゴンガスとし、プラズマ状態調整用ガスを窒素ガス（０．５％）とした場合のプラズマ生成ガスを用いて生成されたプラズマの明部の観察図および観察図の要部を示す模式図であり、（ａ）は、プラズマの明部の観察図であり、（ｂ）は、（ａ）に示す観察図の模式図であり、（ｃ）は、（ａ）に示す明部を拡大した観察図であり、（ｄ）は、（ｃ）に示す観察図の模式図である。
【図７】プラズマ用ガスをアルゴンガスとし、プラズマ状態調整用ガスをヘリウムガス（１０％）および窒素ガス（０．５％）の混合物とした場合のプラズマ生成ガスを用いて生成されたプラズマの明部の観察図および観察図の要部を示す模式図であり、（ａ）は、プラズマの明部の観察図であり、（ｂ）は、（ａ）に示す観察図の模式図であり、（ｃ）は、（ａ）に示す明部を拡大した観察図であり、（ｄ）は、（ｃ）に示す観察図の模式図である。
【図８】本発明のプラズマを生成するその他のプラズマ生成装置の実施形態の概略断面図である。
【図９】プラズマ源から噴射するプラズマの明部の観察図および観察図の要部を示す模式図であり、（ａ）は、プラズマの明部の観察図であり、（ｂ）は、（ａ）に示す観察図の模式図である。
【図１０】プラズマ用ガスとしてアルゴンガス、酸素ガスまたは空気を用い、プラズマ状態調整用ガスとして窒素ガスを用いた際の窒素ガスの添加率とプラズマの明部の長さとの関係を示すグラフである。
【発明を実施するための形態】
【００２５】
以下に、本発明のプラズマ生成ガスおよび本発明のプラズマ生成ガスを用いて生成されたプラズマの実施形態について、図１乃至図７を用いて詳しく説明する。
【００２６】
本発明のプラズマ生成ガスは、放電することによってプラズマを生成するために用いられ、少なくとも１つの物質からなるプラズマ用ガスと、生成されるプラズマの状態を調整するためのプラズマ状態調整用ガスとの混合ガスからなる。
【００２７】
前記プラズマ用ガスは、本発明のプラズマ生成ガスを用いて生成されたプラズマの主要成分となる物質を含んでいるガスからなり、ヘリウムガス、アルゴンガス、キセノンガス、酸素ガス、水素ガスおよび水蒸気など１つの物質からなるガスを用いても良く、空気のような複数の物質からなるガスやこれらの混合物としてもよい。
【００２８】
また、前記プラズマ用ガスは、用途に応じて種々の選択が可能であり、例えば、本発明のプラズマ生成ガスを表面処理用途として用いる際には、プラズマ用ガスを生成されるプラズマの主な成分となるベースガスと、処理効果を向上させるための処理効果向上ガスとの混合物としたものを用いてもよい。
【００２９】
前記プラズマ状態調整用ガスは、生成されるプラズマの状態を調整するためのガスであり、例えば、安定なグロー放電プラズマの生成や、プラズマの伸張距離を伸ばすことなどを可能とする。
【００３０】
具体的には、プラズマ状態調整用ガスをヘリウムガスとすることにより、プラズマを生成する際に、プラズマ生成ガスに対して大量の電力を印加しても、アーク放電の発生を抑制し、安定なグロー放電を容易かつ確実に維持することができるので、高密度のプラズマの生成を可能とする。この時、プラズマ用ガスとしては、ヘリウムガスを含まないガスを選択する。
【００３１】
また、プラズマ状態調整用ガスを窒素ガスとすることにより、生成されたプラズマと空気との密度の差が小さくなるとともに、窒素のラジカルの寿命は非常に長いので、プラズマの活性が失われるのを抑制してプラズマの伸張距離を伸ばすことができる。
【００３２】
このような、本発明のプラズマ生成ガスを用いて生成された本発明のプラズマを用いることにより、例えば、光源用途および分析用途とされた際には、安定なグロー放電プラズマとされているので、光源に用いる元素または検出した元素に応じた発光色を高い光感度で得ることを可能とする。また、本発明のプラズマを表面処理用途として用いる際には、高密度かつ伸長距離の長いプラズマとされているので、被処理物がプラズマ源から離れた位置に配置されている場合や、被処理物の表面に大きな凹凸を有し、プラズマ源から凹部までが離れている場合においても、確実にプラズマが到達するので、所望の処理を高速に施すことを可能とする。
【００３３】
本発明の具体的な実施例を以下に説明する。
【００３４】
プラズマ生成ガスを導入し、放電を起こすことによりプラズマを生成するための本実施形態のプラズマ生成装置１を図１に示す。
【００３５】
プラズマ生成装置１は、中空直方体の筐体と、前記筐体２の内部に収容された直方体の内部電極３と、フラズマを噴出するための細幅のライン状の噴出口４ａが形成された外部電極４と、前記筐体２の内部にプラズマ生成ガスを導入するためのプラズマ生成ガス供給部５および電源６とを備えている。
【００３６】
電源６は、内部電極３および外部電極４とに接続され、外部電極４は接地されている。
【００３７】
このような、プラズマ生成装置１におけるプラズマ生成方法は、プラズマ生成ガス供給部５からプラズマ生成ガスが供給されると共に、電源６を用いて、１ｋＨｚ〜４０ＭＨｚの周波数の高周波電圧を印加することにより、内部電極３と外部電極４との間に電界を設け、間隙部７に放電を発生させることによりプラズマを生成し噴出口４ａから均一に噴出するようにされている。
【００３８】
＜実施例１＞
ここで、本発明のプラズマ生成ガスを上記プラズマ生成装置１に供給し、安定なグロー放電プラズマが得られるかを検討した。
【００３９】
なお、検討に用いたプラズマ生成ガスは、プラズマ用ガスとしてアルゴンガス（ベースガス）および酸素ガス（処理効果向上ガス）の混合物を用い、プラズマ状態調整用ガスとしてヘリウムガスを用いた混合ガスとした。
【００４０】
実験は、プラズマ生成ガスの全流量を３０L／ｍｉｎとし、ヘリウムガスの添加率を全流量に対してを０〜３０％の間で変化させ、その際のアーク放電開始電力を測定した。測定結果を図２に示す。なお、酸素ガスの添加率を全流量に対して、０％、０．１％、０．２％および０．３％とした４パターンについて実験を行った。
【００４１】
図２に示すように、プラズマ状態調整用ガスとしてのへリムガスを混合することによって、酸素ガスの添加の有無に関わらず、生成されるプラズマのアーク放電開始電力が高くなっていることが分かり、大量の電力を増加してもアーク放電に移行せずに安定なグロー放電を生成できていることが分かる。
【００４２】
特に、処理効果向上ガスとして酸素ガスを添加した時には、プラズマ状態調整用ガスとしてのヘリウムガスを混合することによる、アーク放電開始電力の向上が顕著であり、大量の電力を印加することが可能であることが分かる。
【００４３】
特に、ヘリウムガスを添加率３０％で混合した時に最もアーク放電開始電力が高くなり、ヘリウムガスの添加率０％の場合のアーク放電開始電力と比較すると、酸素ガスの添加率０．１％の場合において約２０％増加し、酸素ガスの添加率０．２％の場合において約２８．５％増加し、酸素ガスの添加率０．３％の場合において約３３％増加する結果となった。
【００４４】
なお、コスト面および用途に適正なプラズマの状態を考慮すると、プラズマ状態調整用ガスとしてのヘリウムガスの添加率は、５％程度が好ましい。
【００４５】
この結果から、プラズマ状態調整用ガスとしてのヘリウムガスを混合したプラズマ生成ガスとすることにより、従来のプラズマ生成ガスによって生成されたグロー放電プラズマと比較すると、大量の電力を印加した際においても、アーク放電の発生が抑制されて安定なグロー放電を維持することができ、大量の電力を印加して高密度のプラズマを生成することが可能であることが明らかとなった。
【００４６】
＜実施例２＞
また、プラズマ用ガスとしてアルゴンガス（ベースガス）と水素ガス（処理効果向上ガス）との混合物を用い、プラズマ状態調整用ガスとしてヘリウムガスを用いて混合ガスとしたプラズマ生成ガスを用いて、実施例１と同様の実験を行った結果を図３に示す。
【００４７】
実験は、プラズマ生成ガスの全流量を３０Ｌ／ｍｉｎとし、ヘリウムガスの添加率を全流量に対して０〜３０％の間で変化させ、その際のアーク放電開始電力を測定した。なお、水素ガスの添加率を全流量に対して０％、０．１％、０．３％、０．５％、１％、２％および３％とした７パターンについて実験を行った。
【００４８】
図３に示すように、プラズマ状態調整用ガスとしてのヘリウムガスを混合することによって、水素ガスの添加の有無に関わらず、生成されるプラズマのアーク放電開始電力が高くなっていることが分かり、印加する電力を増加してもアーク放電に移行せずに安定なグロー放電を生成できていることが分かる。
【００４９】
特に、水素ガスを０．１％、０．３％および０．５％添加した時には、ヘリウムガスの添加率３％まで急激に増加しており、ヘリウムガスの添加率０％の場合のアーク放電開始電力と比較すると、水素ガスの添加率０．１％の場合において２７．８％増加し、水素ガスの添加率０．３％の場合において８．０％増加し、水素ガスの添加率０．５％の場合において６．５％増加する結果となった。
【００５０】
また、水素ガスを１％添加した時には、ヘリウムガスの添加率７％まではアーク放電開始電力に殆ど変化がみられず、ヘリウムガスの添加率１０％とされた場合に急激な増加が認められ、ヘリウムガスの添加率０％の場合のアーク放電開始電力と比較して５．６％増加する結果となった。
【００５１】
水素ガスを２％および３％添加した時には、アーク放電開始電力に多少の変動が認められるものの、大きな増加は認められなかった。
【００５２】
また、水素ガスを３％を超える添加率で添加すると、プラズマを安定に生成することができず、プラズマが消えるという結果となった。
【００５３】
この結果から、水素ガスを０．１〜１％とされた場合において、プラズマ状態調整用ガスとしてのヘリウムガスを添加することによるアンチアーキング効果が特に高いことが明らかとなり、大量の電力を印加してもアーク放電に移行せずに安定なグロー放電を生成し、高密度のプラズマを生成することを可能とする。
【００５４】
また、プラズマ状態調整用ガスとしてのヘリウムガスを添加することにより、水素ガスを２％〜３％という高い添加率で添加した際にも、安定なグロー放電を生成することを可能とする。
【００５５】
＜実施例３＞
次に、本発明のプラズマ生成ガスをプラズマ生成装置１に供給し、得られたプラズマの伸張距離の変化について検討した。
【００５６】
なお、検討に用いたプラズマ生成ガスは、プラズマ状態調整用ガスを含まないプラズマ用ガスとしてのアルゴンガス１００％のものと、プラズマ用ガスとしてアルゴンガスを用い、プラズマ状態調整用ガスとしての窒素ガスをプラズマ生成装置１に供給するプラズマ生成ガスの全流量に対して０．１％および０．５％としたものを用いて行った。なお、前記プラズマ用ガスには、処理効果向上ガスは含まれていない。
【００５７】
また、プラズマの伸張距離の検討は、噴出するプラズマの発光部をデジタルカメラで撮影し、得られた画像の明部８をプラズマと判断し、この明部８の長さおよびプラズマ生成装置１の高さを測定し、プラズマ生成装置１に対する割合で明部８の長さを算出し行った。この時、プラズマ生成装置１は、高さ７０ｍｍ、幅３１０ｍｍ、奥行き５０ｍｍとされ、外部電極４に形成された噴出口４ａは、長さ２５０ｍｍとされている。
【００５８】
生成されたプラズマの明部８を撮影した観察図を図４乃至図６に示す。なお、図４乃至図６において、（ｂ）および（ｄ）は、それぞれ（ａ）および（ｃ）模式図であり、これは、明部８の様子を明確とするべく示すものであり、明部８の長さの測定は、（ａ）および（ｃ）に示す観察図を用いて行った。
【００５９】
図４に示すように、プラズマ状態調整用ガスを含まないプラズマ用ガスとしてのアルゴンガスのみの場合、明部８は非常に短かく、（ｂ）および（ｄ）に示すように、プラズマは噴出口４ａから極わずかに噴出していた。また、図４（ｃ）に示すように、明部８の長さは、約０．５ｍｍ程度であった。
【００６０】
図５に示すように、プラズマ状態調整用ガスとしての窒素ガスを０．１％混合した場合、明部８の長さはわずかに伸び、（ｂ）に示すように、ライン状の噴出口４ａの両端部において、大きな伸張距離の増加が認められ、（ｄ）に示すように、明部８を拡大すると、プラズマが噴出している様子が明確にみることができる。また、（ｃ）に示すように、。明部８の長さは、約３ｍｍとなり、プラズマ状態調整用ガスとしての窒素ガスを混合しない場合と比較して、伸張距離が６倍に増加した。
【００６１】
また、図６に示すように、プラズマ状態調整用ガスとしての窒素ガスを０．５％混合した場合、明部８の長さは大幅に増加し、（ｂ）および（ｄ）に示すように、ライン状の両端部だけでなく一様にプラズマが噴出していることが分か。また、（ｃ）に示すように、明部８の長さは約１２ｍｍとなり、プラズマ状態調整用ガスとしての窒素ガスを混合しない場合と比較して、伸張距離が２４倍に増加した。
【００６２】
これは、プラズマ状態調整用ガスとして窒素ガスを混合することにより、生成されるプラズマ中において、空気中で寿命の長い窒素プラズマを存在させるので、プラズマが空気中に噴出された際に、プラズマの活性が失われるのを抑制して寿命を延ばすので、プラズマの明部８の長さを伸長させることができると考えられる。
【００６３】
この結果から、プラズマ状態調整用ガスとして窒素ガスを用いたプラズマ生成ガスとすることにより、プラズマの伸張距離を飛躍的に伸ばすことが可能であることが明らかとなった。
【００６４】
＜実施例４＞
さらに、プラズマ状態調整用ガスとしてヘリウムガスおよび窒素ガスの混合物を用いた際のプラズマの明部８の伸張距離について検討を行った。
【００６５】
プラズマ生成ガスには、プラズマ用ガスとしてアルゴンガスを用い、プラズマ状態調整用ガスとしてヘリウムガスおよび窒素ガスの混合物を用いた。なお、プラズマ生成装置１に供給されるプラズマ生成ガスの全流量に対して、ヘリウムガスを１０％、窒素ガスを０．５％の添加率で添加した。
【００６６】
実験に用いたプラズマ生成装置１の寸法および明部８の測定方法は、実施例３に記載した装置および方法で行った。生成されたプラズマの明部８を撮影した観察図を図７に示す。なお、図７において、（ｂ）および（ｄ）は、それぞれ（ａ）および（ｃ）模式図であり、これは、明部８の様子を明確とするべく示すものであり、明部８の長さの測定は、（ａ）および（ｃ）に示す観察図を用いて行った。
【００６７】
図７（ａ）および（ｃ）に示すように、明部８の長さは約１０ｍｍとなり、プラズマ状態調整用ガスを混合しない場合（図４参照）と比較して、伸張距離が２０倍に増加した。
【００６８】
また、プラズマ状態調整用ガスとして窒素ガスを０．５％の添加率で混合した場合（図６参照）の明部８と比較すると、（ｂ）および（ｄ）に示すように、伸張距離は劣るものの、ライン状の長手方向において明部８の長さにバラツキが少なく均一なプラズマが生成されていることが分かる。
【００６９】
この結果から、プラズマ状態調整用ガスとしてヘリウムガスおよび窒素ガスの混合物を用いたプラズマ生成ガスとすることにより、プラズマの伸張距離を伸ばすことができるとともに、安定なグロー放電プラズマを容易かつ確実に維持することが可能であることが明らかとなった。
【００７０】
なお、プラズマ生成ガスに対するプラズマ状態調整用ガスとしての窒素ガスの添加率は、プラズマ生成装置１のような細幅のライン状の噴出口４ａを有する装置を用いる場合、０．５％程度されることが好ましい。
【００７１】
＜実施例５＞
さらに、ジェット型プラズマ生成装置１１を用い、プラズマ状態調整用ガスとして窒素ガスを混合したプラズマ生成ガスを用いてプラズマを生成した際のプラズマの明部８の伸張距離の変化について検討した。
【００７２】
本実施例で用いたジェット型プラズマ生成装置１１は、図８に示すように、中空ののハウジング１２と、ハウジング１２の先端部に連結され、内部にドーム状の空隙部１３ａが設けられているとともに、ドーム状の頂部にはプラズマを噴射させるための噴射口１３ｂが形成された外側電極１３と、ハウジング１２および外側電極１３内に収容され、前記空隙部１３ａとの間に間隙部１５を設けるように収容可能な球状部１４ａを有する内側電極１４と、ハウジング１２に接続されプラズマ生成ガスを供給するためのプラズマ生成ガス供給部１６と、外側電極１３および内側電極１４とに高周波電圧を印加するための電源１７とからなる。
【００７３】
このような、ジェット型プラズマ生成装置１１におけるプラズマ生成方法は、プラズマ生成ガス供給部１６から供給される共に、電源１７を用いて、直流〜１ＭＨｚの周波数の高周波電圧を印加することにより、内部電極１４の球状部１４ａと外側電極１３空隙部１３ａとの間の間隙部１５に放電を発生させることによりプラズマを生成し、噴射口１３ｂから噴射するようにされている。実験においは、５０Ｈｚの周波数に設定し行った。
【００７４】
なお、検討に用いたプラズマ生成ガスは、プラズマ用ガスとしてアルゴンガス、酸素ガスおよび空気の各単体のガスを用い、プラズマ状態調整用ガスとして窒素ガスを用いた混合ガスとし、窒素ガスの混合率をジェット型プラズマ生成装置１１に供給するプラズマ生成ガスの全流量に対して０〜１００％の範囲で徐々に増加させたものを用いた。なお、前記プラズマ用ガスには、処理効果向上ガスは含まれていない。
【００７５】
また、プラズマの伸張距離の測定は、実施例３および実施例４と同様に、噴射口１３ｂから噴射するプラズマの発光部をデジタルカメラで撮影した観察図（図９（ａ）参照）の明部８をプラズマと判断して、この明部８の長さを測った。図９（ａ）の明部８の長さを測定した測定結果を図１０に示す。なお、図９（ｂ）は、（ａ）の要部を示す模式図である。
【００７６】
図９（ｂ）に示すように、プラズマ状態調整用ガスとしての窒素ガスの添加率が増加するに従って、噴射口１３ｂから噴射するプラズマの明部８が長くなっていることが分かる。
【００７７】
また、具体的には、図１０に示すように、プラズマ状態調整用ガスとしての窒素ガスの添加率が１〜５％の時に非常に高い効果が得られ、プラズマの長さが伸びていることが分かる。
【００７８】
特に、プラズマ用ガスをアルゴンガスまたは酸素ガスとした時には、プラズマ状態調整用ガスとしての窒素ガスの添加無しにおいて、２ｍｍおよび２．７ｍｍであったものが、窒素ガスを１％添加することによって５．２ｍｍおよび４．４ｍｍとなり、窒素ガスを５％添加することによって７ｍｍおよび５．３ｍｍとなり、伸張距離が２〜３倍以上増加する結果となった。
【００７９】
また、プラズマ用ガスを空気とした時には、空気には予め窒素ガスが含まれているため、大幅な伸張距離の増加は認められなかったものの、プラズマ状態調整用ガスとしての窒素ガスを２０％添加することにより、約１ｍｍの伸張距離の増加となった。
【００８０】
プラズマ用ガスをヘリウムガスとした時には、ヘリウムガス１００％における伸長距離は殆ど０ｍｍであるのに対して、プラズマ状態調整用ガスとしての窒素ガスを２０％添加することによって伸張距離が７ｍｍとなり、大幅に明部８の長さが増加する結果となった。
【００８１】
このように、ジェット型プラズマ生成装置１１を用いた場合においても、プラズマ状態調整用ガスとして窒素ガスを用いたプラズマ生成ガスとすることにより、プラズマの伸長距離を伸ばすことが可能であることが明らかとなった。
【００８２】
なお、プラズマ生成ガスに対するプラズマ状態調整用ガスとしての窒素ガスの添加率は、ジェット型プラズマ生成装置１１のような噴射口１３ｂを有する装置を用いる場合、５％程度されることが好ましい。
【００８３】
上記、本発明の実施例から、本発明のプラズマ生成ガスを用いることにより、生成されるプラズマの状態を調整することが可能であるとともに、本発明のプラズマを用いることにより、例えば、光源用途および分析用途とされた際には、プラズマ状態調整用ガスとしてヘリウムガスを用いることにより、大量の電力を印加しても安定なグロー放電プラズマを容易かつ確実に維持することができるので、高密度のプラズマを生成することを可能とし、光源に用いる元素または検出したい元素に応じた発光色を効果的に得ることができる。
【００８４】
さらに、本発明のプラズマを表面処理用途として用いる際には、プラズマ状態調整用ガスとしてヘリウムガスおよび／または窒素ガスを用いることにより、大量の電力を印加した状態で安定なグロー放電プラズマを生成し、高密度のプラズマを被処理物に対して照射することができると共に、プラズマが消滅するのを抑制して伸張距離の長いプラズマを生成することができるので、被処理物がプラズマ源から離れた位置に配置されている場合や、被処理物の表面に大きな凹凸を有し、プラズマ源から凹部までが離れている場合においても、確実にプラズマが到達するので、所望の処理を高速に施すことを可能とする。
【００８５】
なお、本発明の実施形態は、上記の実施例に限定されるものではなく種々の変更が可能であり、例えば、表面処理用途として用いる際に、プラズマ生成装置１と処理を施す対象物との間にバイアス電圧を印加することにより、プラズマの明部８の伸張距離をさらに長くすることができる。
【符号の説明】
【００８６】
１  プラズマ生成装置
２  筐体
３  内部電極
４  外部電極
４ａ  噴出口
５  プラズマ生成ガス供給部
６  電源
７  間隙部
８  明部
１１  ジェット型プラズマ生成装置
１２  ハウジング
１３  外側電極
１３ａ  空隙部
１３ｂ  噴射口
１４  内側電極
１４ａ  球状部
１５  間隙部
１６  プラズマ生成ガス供給部
１７  電源
【図１】
2013019791.tif 000003
【図２】
2013019791.tif 000004
【図３】
2013019791.tif 000005
【図８】
2013019791.tif 000006
【図１０】
2013019791.tif 000007
【図４】
2013019791.tif 000008
【図５】
2013019791.tif 000009
【図６】
2013019791.tif 000010
【図７】
2013019791.tif 000011
【図９】
2013019791.tif 000012